(57)【特許請求の範囲】
【請求項１】
家庭用電線の自動接続装置であって、接続箱を含み、前記接続箱の中には左方及び右方に開口した接続空間が設置され、前記接続空間の中には二つの左右対称となる送り込み装置が設置され、前記送り込み装置は電線の絶縁被覆を剥ぎ取れ、前記送り込み装置は前記接続空間の下側内壁にスライド可能に連結されたリニアモーターを含み、前記リニアモーターの上側端面には剥ぎ取り箱が固定的に連結され、前記剥ぎ取り箱の中には剥ぎ取り空間が設置され、前記剥ぎ取り空間の下側内壁には二つの前後対称となるスライダがスライド可能に連結され、また前記スライダが対称中心から離れた側が前記剥ぎ取り空間の端面の外部に伸びており、前記スライダには前記剥ぎ取り空間の端面の外部に位置する剥ぎ取りブロックが固定的に連結され、前記剥ぎ取りブロックが前記電線と当接して前記電線の絶縁被覆を剥ぎ取れ、前記剥ぎ取り空間の下側内壁には電磁石が固定的に連結され、前記電磁石が二つの前記スライダの間に位置しており、前記電磁石と二つの前記スライダとの間にはそれぞれ副圧縮ばねが連結され、前記リニアモーターにおいて対称中心から離れた片側の端面にはラックが固定的に連結され、前記接続箱の後側端面には前記リニアモーターにおいて対称中心から離れた側に位置する速度上げ箱が固定的に連結され、前記接続空間の中には二つの前記送り込み装置の間に位置する型装置が設置され、前記型装置は接続完了後の電線に対して絶縁被覆を完全に補修でき、前記接続空間の中には前記型装置の後側に位置する絶縁チューブ供給装置が設置され、前記絶縁チューブ供給装置は電線接続作業に楕円形断面のチューブを提供でき、前記絶縁チューブ供給装置の左側には動力装置が設置され、前記動力装置は前記絶縁チューブ供給装置と前記型装置に動力を提供できることを特徴とする家庭用電線の自動接続装置。
【請求項２】
前記速度上げ箱の内部には前に伸びるプーリ軸が回転可能に連結され、前記プーリ軸には一方向クラッチが固定的に連結され、前記一方向クラッチは前記ラックを対称中心から離れた側に移動させる時、前記プーリ軸を回転連動させることができ、前記一方向クラッチの前側端面には前に伸びる副歯車軸が固定的に連結され、前記副歯車軸には前記ラックと噛み合う副歯車が固定的に連結され、前記速度上げ箱の中には前に伸びる速度上げ軸が回転可能に連結され、また前記速度上げ軸が前記プーリ軸の上側に位置し、前記速度上げ軸には副Ｖプーリが固定的に連結され、前記接続空間の後側内壁には前に伸びるＶプーリ軸が回転可能に連結され、前記Ｖプーリ軸が前記速度上げ箱の上側に位置し、前記Ｖプーリ軸にはＶプーリが固定的に連結され、前記Ｖプーリと前記副Ｖプーリとが副Ｖベルトにより連結され、前記Ｖプーリ軸と前記速度上げ軸にはそれぞれ一つの滑車が固定的に連結され、前記滑車が前記電線と当接でき、前記滑車が前記Ｖプーリと前記副Ｖプーリの前側に位置し、二本の前記電線の中で一つは左側から前記リニアモーターに近接する側へ前記接続空間の中に伸びており、もう一つは右側から前記リニアモーターに近接する側へ前記接続空間の中に伸びており、また左側の前記電線の軸線は右側の前記電線の軸線よりやや低く、そのため、左側の前記Ｖプーリ軸と前記速度上げ軸は右側の前記Ｖプーリ軸と前記速度上げ軸より低く、前記電線は絶縁被覆が剥ぎ取られた後に芯線を露出することを特徴とする請求項１に記載の家庭用電線の自動接続装置。
【請求項３】
前記型装置は前記接続空間の後側内壁に固定的に連結されかつ上下対称となる二つのシリンダを含み、前記シリンダの中には対称中心に近接する側に開口したピストン空間が設置され、二つの前記ピストン空間の下側端面には空気通しホースが連結され、前記空気通しホースは二つの前記ピストン空間を連通し、前記ピストン空間の中にはピストンがスライド可能に連結され、前記ピストンにおいて対称中心に近接する側の端面にはピストンロッドが固定的に連結され、前記ピストンロッドにおいて対称中心に近接する側が前記接続空間の中に伸びており、前記ピストンと前記ピストン空間において対称中心に近接する側の内壁との間には圧縮ばねが連結され、前記ピストン空間の右側端面には電磁弁が設置され、前記ピストンロッドには前記接続空間の中に位置する半円柱形型が固定的に連結され、前記接続空間の上側端面には左側の前記リニアモーターの上側に位置する液貯蔵箱が固定的に連結され、前記液貯蔵箱の中にはゴムを完全に補えるゴム補修剤が貯蔵され、前記液貯蔵箱の下側端面には前記液貯蔵箱と連通する流体ポンプが固定的に連結され、前記流体ポンプと上側の前記半円柱形側とが液供給ホースにより連通されていることを特徴とする請求項１に記載の家庭用電線の自動接続装置。
【請求項４】
前記絶縁チューブ供給装置は前記接続空間の後側内壁に固定的に連結されかつ前記シリンダの左側に位置する貯蔵箱を含み、前記貯蔵箱の中には前後に連通し、かつ上方に向く開口を有する貯蔵空間が設置され、前記貯蔵空間の中には三つの上から下へと配列された前記楕円形断面のチューブが貯蔵され、前記接続空間の後側内壁には前記貯蔵箱の下側に位置する伸縮スライドレールが固定的に連結され、前記伸縮スライドレールの上側端面にはプッシュ板が固定的に連結され、前記プッシュ板の後側端面には前記楕円形断面のチューブと当接する止め板が固定的に連結され、前記伸縮スライドレールの上側端面には前記プッシュ板の前側に位置する四番目の前記楕円形断面のチューブが置いてあり、二本の前記芯線が前記伸縮スライドレールにある前記楕円形断面のチューブを貫通していることを特徴とする請求項３に記載の家庭用電線の自動接続装置。
【請求項５】
前記動力装置は前記接続空間の上側内壁に固定的に連結されかつ前記貯蔵箱の左側に位置する動力箱を含み、前記動力箱の中には動力空間が設置され、前記動力空間の左側内壁には右方に伸びるモーター軸が回転可能に連結され、前記モーター軸には前記動力空間の左側内壁に固定的に連結されたモーターが伝動可能に連結され、前記モーター軸には主歯車が設置され、前記主歯車の中には左方に開口したスライド穴が設置され、前記主歯車には右方に開口し、かつ前記スライド穴と連通した空き空間が設置され、前記スライド穴と前記モーター軸とが平キーにより連結され、前記動力空間の下側内壁には回転台が固定的に連結され、前記回転台の左側端面には左右に伸びる歯車軸が回転可能に連結され、前記歯車軸が左方に伸びて前記空き空間の中に伸び、また前記歯車軸は前記スライド穴と平キーにより連結されることができ、前記歯車軸には前記回転台の左側に位置する副電磁石が固定的に連結され、前記副電磁石と前記主歯車との間にはばねが連結され、前記歯車軸には前記回転台の右側に位置する歯車が固定的に連結され、前記動力空間の下側内壁には前記歯車と噛み合う副移動ラックがスライド可能に連結され、前記副移動ラックが前記回転台の右側に位置し、前記動力空間の上側内壁には前記歯車と噛み合う移動ラックがスライド可能に連結され、前記移動ラックと前記プッシュ板との間には副Ｌ型ロッドが固定的に連結され、前記副移動ラックの右側端面には右方へ前記接続空間の中に伸びるＬ型ロッドが固定的に連結され、前記Ｌ型ロッドの後側端面には副プッシュ板が固定的に連結され、前記副プッシュ板と前記プッシュ板とが前後対称となり、前記動力空間の左側内壁にはエアポンプが固定的に連結され、前記エアポンプの中には右方に伸びる回転軸が回転可能に連結され、前記回転軸には前記主歯車と噛み合う伝動歯車が固定的に連結され、前記エアポンプと前記空気通しホースとが空気通しパイプにより連通されていることを特徴とする請求項４に記載の家庭用電線の自動接続装置。
【発明の詳細な説明】
【技術分野】
【０００１】
本願発明は電線の自動接続技術分野に関わり、具体的には家庭用電線の自動接続装置である。
【背景技術】
【０００２】
家庭用電線を接続する流れは、電線の絶縁被覆を一部剥ぎ取って芯線を露出し、その後、二本の芯線を一本に巻いて接続し、そして一本になった芯線に絶縁テープを巻くことであり、家庭用電線が一般的に自分で接続するので、電線を接続する人は大体専門的な訓練を受けていなく、電線は接続された後に接触不良などの問題が存在し、また絶縁テープは正しく包まないため、電線は電気漏れの問題が発生する可能性もあり、そして絶縁テープで処理された電線は美しく見えなく、本願発明は上記の問題を解決できる設備の家庭用電線の自動接続装置を開示する。
【先行技術文献】
【特許文献】
【０００３】
【特許文献１】中国特許出願公開第１０５５６８４５５号明細書
【発明の概要】
【発明が解決しようとする課題】
【０００４】
技術問題：
今、家庭用電線の自動接続装置はない。
【課題を解決するための手段】
【０００５】
上記の問題を解決するため、本願発明は家庭用電線の自動接続装置を設計する。家庭用電線の自動接続装置は、接続箱を含み、前記接続箱の中には左方及び右方に開口した接続空間が設置され、前記接続空間の中には二つの左右対称となる送り込み装置が設置され、前記送り込み装置は電線の絶縁被覆を剥ぎ取れ、前記送り込み装置は前記接続空間の下側内壁にスライド可能に連結されたリニアモーターを含み、前記リニアモーターの上側端面には剥ぎ取り箱が固定的に連結され、前記剥ぎ取り箱の中には剥ぎ取り空間が設置され、前記剥ぎ取り空間の下側内壁には二つの前後対称となるスライダがスライド可能に連結され、また前記スライダが対称中心から離れた側が前記剥ぎ取り空間の端面の外部に伸びており、前記スライダには前記剥ぎ取り空間の端面の外部に位置する剥ぎ取りブロックが固定的に連結され、前記剥ぎ取りブロックが前記電線と当接して前記電線の絶縁被覆を剥ぎ取れ、前記剥ぎ取り空間の下側内壁には電磁石が固定的に連結され、前記電磁石が二つの前記スライダの間に位置しており、前記電磁石と二つの前記スライダとの間にはそれぞれ副圧縮ばねが連結され、前記リニアモーターにおいて対称中心から離れた片側の端面にはラックが固定的に連結され、前記接続箱の後側端面には前記リニアモーターにおいて対称中心から離れた側に位置する速度上げ箱が固定的に連結され、前記接続空間の中には二つの前記送り込み装置の間に位置する型装置が設置され、前記型装置は接続完了後の電線に対して絶縁被覆を完全に補修でき、前記接続空間の中には前記型装置の後側に位置する絶縁チューブ供給装置が設置され、前記絶縁チューブ供給装置は電線接続作業に楕円形断面のチューブを提供でき、前記絶縁チューブ供給装置の左側には動力装置が設置され、前記動力装置は前記絶縁チューブ供給装置と前記型装置に動力を提供できる。
【０００６】
前記速度上げ箱の内部には前に伸びるプーリ軸が回転可能に連結され、前記プーリ軸には一方向クラッチが固定的に連結され、前記一方向クラッチは前記ラックを対称中心から離れた側に移動させる時、前記プーリ軸を回転連動させることができ、前記一方向クラッチの前側端面には前に伸びる副歯車軸が固定的に連結され、前記副歯車軸には前記ラックと噛み合う副歯車が固定的に連結され、前記速度上げ箱の中には前に伸びる速度上げ軸が回転可能に連結され、また前記速度上げ軸が前記プーリ軸の上側に位置し、前記速度上げ軸には副Ｖプーリが固定的に連結され、前記接続空間の後側内壁には前に伸びるＶプーリ軸が回転可能に連結され、前記Ｖプーリ軸が前記速度上げ箱の上側に位置し、前記Ｖプーリ軸にはＶプーリが固定的に連結され、前記Ｖプーリと前記副Ｖプーリとが副Ｖベルトにより連結され、前記Ｖプーリ軸と前記速度上げ軸にはそれぞれ一つの滑車が固定的に連結され、前記滑車が前記電線と当接でき、前記滑車が前記Ｖプーリと前記副Ｖプーリの前側に位置し、二本の前記電線の中で一つは左側から前記リニアモーターに近接する側へ前記接続空間の中に伸びており、もう一つは右側から前記リニアモーターに近接する側へ前記接続空間の中に伸びており、また左側の前記電線の軸線は右側の前記電線の軸線よりやや低く、そのため、左側の前記Ｖプーリ軸と前記速度上げ軸は右側の前記Ｖプーリ軸と前記速度上げ軸より低く、前記電線は絶縁被覆が剥ぎ取られた後に芯線を露出する。
【０００７】
前記型装置は前記接続空間の後側内壁に固定的に連結されかつ上下対称となる二つのシリンダを含み、前記シリンダの中には対称中心に近接する側に開口したピストン空間が設置され、二つの前記ピストン空間の下側端面には空気通しホースが連結され、前記空気通しホースは二つの前記ピストン空間を連通し、前記ピストン空間の中にはピストンがスライド可能に連結され、前記ピストンにおいて対称中心に近接する側の端面にはピストンロッドが固定的に連結され、前記ピストンロッドにおいて対称中心に近接する側が前記接続空間の中に伸びており、前記ピストンと前記ピストン空間において対称中心に近接する側の内壁との間には圧縮ばねが連結され、前記ピストン空間の右側端面には電磁弁が設置され、前記ピストンロッドには前記接続空間の中に位置する半円柱形型が固定的に連結され、前記接続空間の上側端面には左側の前記リニアモーターの上側に位置する液貯蔵箱が固定的に連結され、前記液貯蔵箱の中にはゴムを完全に補えるゴム補修剤が貯蔵され、前記液貯蔵箱の下側端面には前記液貯蔵箱と連通する流体ポンプが固定的に連結され、前記流体ポンプと上側の前記半円柱形側とが液供給ホースにより連通されている。
【０００８】
前記絶縁チューブ供給装置は前記接続空間の後側内壁に固定的に連結されかつ前記シリンダの左側に位置する貯蔵箱を含み、前記貯蔵箱の中には前後に連通し、かつ上方に向く開口を有する貯蔵空間が設置され、前記貯蔵空間の中には三つの上から下へと配列された前記楕円形断面のチューブが貯蔵され、前記接続空間の後側内壁には前記貯蔵箱の下側に位置する伸縮スライドレールが固定的に連結され、前記伸縮スライドレールの上側端面にはプッシュ板が固定的に連結され、前記プッシュ板の後側端面には前記楕円形断面のチューブと当接する止め板が固定的に連結され、前記伸縮スライドレールの上側端面には前記プッシュ板の前側に位置する四番目の前記楕円形断面のチューブが置いてあり、二本の前記芯線が前記伸縮スライドレールにある前記楕円形断面のチューブを貫通している。
【０００９】
前記動力装置は前記接続空間の上側内壁に固定的に連結されかつ前記貯蔵箱の左側に位置する動力箱を含み、前記動力箱の中には動力空間が設置され、前記動力空間の左側内壁には右方に伸びるモーター軸が回転可能に連結され、前記モーター軸には前記動力空間の左側内壁に固定的に連結されたモーターが伝動可能に連結され、前記モーター軸には主歯車が設置され、前記主歯車の中には左方に開口したスライド穴が設置され、前記主歯車には右方に開口し、かつ前記スライド穴と連通した空き空間が設置され、前記スライド穴と前記モーター軸とが平キーにより連結され、前記動力空間の下側内壁には回転台が固定的に連結され、前記回転台の左側端面には左右に伸びる歯車軸が回転可能に連結され、前記歯車軸が左方に伸びて前記空き空間の中に伸び、また前記歯車軸は前記スライド穴と平キーにより連結されることができ、前記歯車軸には前記回転台の左側に位置する副電磁石が固定的に連結され、前記副電磁石と前記主歯車との間にはばねが連結され、前記歯車軸には前記回転台の右側に位置する歯車が固定的に連結され、前記動力空間の下側内壁には前記歯車と噛み合う副移動ラックがスライド可能に連結され、前記副移動ラックが前記回転台の右側に位置し、前記動力空間の上側内壁には前記歯車と噛み合う移動ラックがスライド可能に連結され、前記移動ラックと前記プッシュ板との間には副Ｌ型ロッドが固定的に連結され、前記副移動ラックの右側端面には右方へ前記接続空間の中に伸びるＬ型ロッドが固定的に連結され、前記Ｌ型ロッドの後側端面には副プッシュ板が固定的に連結され、前記副プッシュ板と前記プッシュ板とが前後対称となり、前記動力空間の左側内壁にはエアポンプが固定的に連結され、前記エアポンプの中には右方に伸びる回転軸が回転可能に連結され、前記回転軸には前記主歯車と噛み合う伝動歯車が固定的に連結され、前記エアポンプと前記空気通しホースとが空気通しパイプにより連通されている。
【発明の効果】
【００１０】
本願発明の効果は：本願発明の絶縁チューブ供給装置は電線接続に所要の楕円形断面のチューブを自動的に供給でき、剥ぎ取り機構は左右対称に設置され、剥ぎ取り機構は電線の絶縁被覆を剥ぎ取った後に復帰運動を行い、剥ぎ取り機構の復帰運動は電線を移動させられ、電線の露出した芯線を楕円形断面のチューブ内に差し込むように連結され、その後、押圧機構は楕円形断面のチューブを押圧することにより、楕円形断面のチューブを変形させ、そして二本の芯線と楕円形断面のチューブとを十分に接触させ、その後、型装置は二つの半円柱形型を対向に移動させることにより二つの半円柱形型は一つの完全な円柱形型になり、また、二本の芯線と楕円形断面のチューブとが型の内部に位置し、その後、ゴム補修剤を型に注いで電線の絶縁被覆を完全に補修でき、こうして電線の自動接続を完成し、従い、本願発明は家庭用の電線を自動的に接続する作業を実現でき、絶縁処理の品質もよくて接続完了後の電線もきれいに見える。
【図面の簡単な説明】
【００１１】
下記に図１〜７をあわせて本発明について詳しく説明し、便利に説明するために、下記の方向を以下のように規定する：図１は本発明装置の正面図であり、本願に記載の各方向が、図１と同じ向きに装置を見た際の方向である。
【００１２】
【図１】図１は本願発明の全体構成概略図
【図２】図２は図１の「Ａ―Ａ」方向の構成概略図
【図３】図３は図１の「Ｂ」部の構成拡大概略図
【図４】図４は図１の「Ｃ」部の構成拡大概略図
【図５】図５は図３の「Ｄ―Ｄ」方向の構成概略図
【図６】図６は図３の「Ｅ―Ｅ」方向の構成概略図
【図７】図７は図２の「Ｆ―Ｆ」方向の構成概略図
【発明を実施するための形態】
【００１３】
本願発明は家庭用電線の自動接続装置であり、主に電線を自動的に接続することに用いられ、下記に本願発明の附図に合わせて更なる説明を行う。
【００１４】
本願発明に記載の家庭用電線の自動接続装置は、接続箱１１を含み、前記接続箱１１の中には左方及び右方に開口した接続空間１２が設置され、前記接続空間１２の中には二つの左右対称となる送り込み装置１０１が設置され、前記送り込み装置１０１は電線２２の絶縁被覆を剥ぎ取れ、前記送り込み装置１０１は前記接続空間１２の下側内壁にスライド可能に連結されたリニアモーター２３を含み、前記リニアモーター２３の上側端面には剥ぎ取り箱５２が固定的に連結され、前記剥ぎ取り箱５２の中には剥ぎ取り空間５４が設置され、前記剥ぎ取り空間５４の下側内壁には二つの前後対称となるスライダ５５がスライド可能に連結され、また前記スライダ５５が対称中心から離れた側が前記剥ぎ取り空間５４の端面の外部に伸びており、前記スライダ５５には前記剥ぎ取り空間５４の端面の外部に位置する剥ぎ取りブロック５６が固定的に連結され、前記剥ぎ取りブロック５６が前記電線２２と当接して前記電線２２の絶縁被覆を剥ぎ取れ、前記剥ぎ取り空間５４の下側内壁には電磁石５３が固定的に連結され、前記電磁石５３が二つの前記スライダ５５の間に位置しており、前記電磁石５３と二つの前記スライダ５５との間にはそれぞれ副圧縮ばね５８が連結され、前記リニアモーター２３において対称中心から離れた片側の端面にはラック２４が固定的に連結され、前記接続箱１１の後側端面には前記リニアモーター２３において対称中心から離れた側に位置する速度上げ箱２５が固定的に連結され、前記接続空間１２の中には二つの前記送り込み装置１０１の間に位置する型装置１０２が設置され、前記型装置１０２は接続完了後の電線に対して絶縁被覆を完全に補修でき、前記接続空間１２の中には前記型装置１０２の後側に位置する絶縁チューブ供給装置１０３が設置され、前記絶縁チューブ供給装置１０３は電線接続作業に楕円形断面のチューブ４３を提供でき、前記絶縁チューブ供給装置１０３の左側には動力装置１０４が設置され、前記動力装置１０４は前記絶縁チューブ供給装置１０３と前記型装置１０２に動力を提供できる。
【００１５】
有益なように、前記速度上げ箱２５の内部には前に伸びるプーリ軸６０が回転可能に連結され、前記プーリ軸６０には一方向クラッチ５９が固定的に連結され、前記一方向クラッチ５９は前記ラック２４を対称中心から離れた側に移動させる時、前記プーリ軸６０を回転連動させることができ、前記一方向クラッチ５９の前側端面には前に伸びる副歯車軸４６が固定的に連結され、前記副歯車軸４６には前記ラック２４と噛み合う副歯車４５が固定的に連結され、前記速度上げ箱２５の中には前に伸びる速度上げ軸５０が回転可能に連結され、また前記速度上げ軸５０が前記プーリ軸６０の上側に位置し、前記速度上げ軸５０には副Ｖプーリ６２が固定的に連結され、前記接続空間１２の後側内壁には前に伸びるＶプーリ軸６４が回転可能に連結され、前記Ｖプーリ軸６４が前記速度上げ箱２５の上側に位置し、前記Ｖプーリ軸６４にはＶプーリ６３が固定的に連結され、前記Ｖプーリ６３と前記副Ｖプーリ６２とが副Ｖベルト５１により連結され、前記Ｖプーリ軸６４と前記速度上げ軸５０にはそれぞれ一つの滑車４９が固定的に連結され、前記滑車４９が前記電線２２と当接でき、前記滑車４９が前記Ｖプーリ６３と前記副Ｖプーリ６２の前側に位置し、二本の前記電線２２の中で一つは左側から前記リニアモーター２３に近接する側へ前記接続空間１２の中に伸びており、もう一つは右側から前記リニアモーター２３に近接する側へ前記接続空間１２の中に伸びており、また左側の前記電線２２の軸線は右側の前記電線２２の軸線よりやや低く、そのため、左側の前記Ｖプーリ軸６４と前記速度上げ軸５０は右側の前記Ｖプーリ軸６４と前記速度上げ軸５０より低く、前記電線２２は絶縁被覆が剥ぎ取られた後に芯線３２を露出し、前記電磁石５３により前記スライダ５５が吸引されることで、二つの前記剥ぎ取りブロック５６は一緒に前記電線２２の絶縁被覆を切り、その後、前記リニアモーター２３が対称中心に近接する側に移動し、こうして前記電線２２の絶縁被覆を一部除去できる。
【００１６】
有益なように、前記型装置１０２は前記接続空間１２の後側内壁に固定的に連結されかつ上下対称となる二つのシリンダ１４を含み、前記シリンダ１４の中には対称中心に近接する側に開口したピストン空間１９が設置され、二つの前記ピストン空間１９の下側端面には空気通しホース２０が連結され、前記空気通しホース２０は二つの前記ピストン空間１９を連通し、前記ピストン空間１９の中にはピストン１８がスライド可能に連結され、前記ピストン１８において対称中心に近接する側の端面にはピストンロッド１５が固定的に連結され、前記ピストンロッド１５において対称中心に近接する側が前記接続空間１２の中に伸びており、前記ピストン１８と前記ピストン空間１９において対称中心に近接する側の内壁との間には圧縮ばね１７が連結され、前記ピストン空間１９の右側端面には電磁弁１６が設置され、前記ピストンロッド１５には前記接続空間１２の中に位置する半円柱形型１３が固定的に連結され、前記接続空間１２の上側端面には左側の前記リニアモーター２３の上側に位置する液貯蔵箱２８が固定的に連結され、前記液貯蔵箱２８の中にはゴムを完全に補えるゴム補修剤が貯蔵され、前記液貯蔵箱２８の下側端面には前記液貯蔵箱２８と連通する流体ポンプ２７が固定的に連結され、前記流体ポンプ２７と上側の前記半円柱形側１３とが液供給ホース２６により連通され、前記ピストン１８が対称中心に近接する側に移動することにより、上側と下側の前記半円柱形側１３が一つの完全な円柱形型になり、また二本の前記芯線３２がいずれも前記半円柱形型１３の内部に位置し、その後、ゴム補修剤を前記半円柱形型１３の内部に注いで電線の絶縁被覆を完全に補う。
【００１７】
有益なように、前記絶縁チューブ供給装置１０３は前記接続空間１２の後側内壁に固定的に連結されかつ前記シリンダ１４の左側に位置する貯蔵箱３０を含み、前記貯蔵箱３０の中には前後に連通し、かつ上方に向く開口を有する貯蔵空間４１が設置され、前記貯蔵空間４１の中には三つの上から下へと配列された前記楕円形断面のチューブ４３が貯蔵され、前記接続空間１２の後側内壁には前記貯蔵箱３０の下側に位置する伸縮スライドレール４０が固定的に連結され、前記伸縮スライドレール４０の上側端面にはプッシュ板３１が固定的に連結され、前記プッシュ板３１の後側端面には前記楕円形断面のチューブ４３と当接する止め板４２が固定的に連結され、前記伸縮スライドレール４０の上側端面には前記プッシュ板３１の前側に位置する四番目の前記楕円形断面のチューブ４３が置いてあり、二本の前記芯線３２が前記伸縮スライドレール４０にある前記楕円形断面のチューブ４３を貫通し、前記止め板４２の前後移動により前記楕円形断面のチューブ４３を送り込むことが実現される。
【００１８】
有益なように、前記動力装置１０４は前記接続空間１２の上側内壁に固定的に連結されかつ前記貯蔵箱３０の左側に位置する動力箱２１を含み、前記動力箱２１の中には動力空間３３が設置され、前記動力空間３３の左側内壁には右方に伸びるモーター軸７２が回転可能に連結され、前記モーター軸７２には前記動力空間３３の左側内壁に固定的に連結されたモーター７１が伝動可能に連結され、前記モーター軸７２には主歯車７４が設置され、前記主歯車７４の中には左方に開口したスライド穴７３が設置され、前記主歯車７４には右方に開口し、かつ前記スライド穴７３と連通した空き空間７５が設置され、前記スライド穴７３と前記モーター軸７２とが平キーにより連結され、前記動力空間３３の下側内壁には回転台６６が固定的に連結され、前記回転台６６の左側端面には左右に伸びる歯車軸３７が回転可能に連結され、前記歯車軸３７が左方に伸びて前記空き空間７５の中に伸び、また前記歯車軸３７は前記スライド穴７３と平キーにより連結されることができ、前記歯車軸３７には前記回転台６６の左側に位置する副電磁石７７が固定的に連結され、前記副電磁石７７と前記主歯車７４との間にはばね７６が連結され、前記歯車軸３７には前記回転台６６の右側に位置する歯車３６が固定的に連結され、前記動力空間３３の下側内壁には前記歯車３６と噛み合う副移動ラック３８がスライド可能に連結され、前記副移動ラック３８が前記回転台６６の右側に位置し、前記動力空間３３の上側内壁には前記歯車３６と噛み合う移動ラック３４がスライド可能に連結され、前記移動ラック３４と前記プッシュ板３１との間には副Ｌ型ロッド７８が固定的に連結され、前記副移動ラック３８の右側端面には右方へ前記接続空間１２の中に伸びるＬ型ロッド６５が固定的に連結され、前記Ｌ型ロッド６５の後側端面には副プッシュ板４４が固定的に連結され、前記副プッシュ板４４と前記プッシュ板３１とが前後対称となり、前記動力空間３３の左側内壁にはエアポンプ７０が固定的に連結され、前記エアポンプ７０の中には右方に伸びる回転軸６９が回転可能に連結され、前記回転軸６９には前記主歯車７４と噛み合う伝動歯車６８が固定的に連結され、前記エアポンプ７０と前記空気通しホース２０とが空気通しパイプ６７により連通され、前記プッシュ板３１と前記副プッシュ板４４が前記伸縮スライドレール４０にある前記楕円形断面のチューブ４３に近づくように移動することにより、前記プッシュ板３１と前記副プッシュ板４４が前記楕円形断面のチューブ４３をきつく押して変形させ、そして二つの前記芯線３２が前記楕円形断面のチューブ４３と十分に当接する。
【００１９】
以下、附図１〜７を参照し、本願発明の使用手順を詳しく説明する。
【００２０】
はじめに、リニアモーター２３が動力箱２１から一番遠いところに位置し、圧縮ばね１７の推力により、ピストン１８が伸縮スライドレール４０から一番遠いところに位置し、半円柱形型１３が伸縮スライドレール４０から一番遠いところに位置し、電磁弁１６が閉めた状態にあり、プッシュ板３１と副プッシュ板４４が半円柱形型１３から一番遠いところに位置し、四つの楕円形断面のチューブ４３が貯蔵空間４１の中に位置し、副電磁石７７が通電していなく、ばね７６の作用により主歯車７４が左限界位置に位置し、主歯車７４が伝動歯車６８と噛み合っており、歯車軸３７がスライド穴７３と平キーにより連結されていなく、電磁石５３が通電していなく、副圧縮ばね５８の作用により、スライダ５５が電磁石５３から一番遠いところに位置する。
【００２１】
作動時、手動で二本の電線を接続空間１２の中に差し込み、接続空間１２を滑車４９と当接させ、その後、電磁石５３に通電し、電磁石５３がスライダ５５を吸引することにより、スライダ５５が電磁石５３に近接する側に移動し、剥ぎ取りブロック５６が電線２２と当接して電線２２の絶縁被覆を切り、その後、リニアモーター２３が始動されて剥ぎ取り箱５２とラック２４とを動力箱２１に近接する側に移動させ、剥ぎ取りブロック５６が切り取られた絶縁被覆を動力箱２１へ移動させて切り取られた絶縁被覆を除去し、絶縁被覆を剥ぎ取ることを実現し、絶縁被覆が剥ぎ取られた電線２２は芯線３２を露出し、
その後、リニアモーター２３が移動することを停止し、電磁石５３が停電し、副圧縮ばね５８の作用により、剥ぎ取りブロック５６が電磁石５３から離れた側に移動復帰し、副電磁石７７に通電し、副電磁石７７が主歯車７４を吸引し、主歯車７４が伝動歯車６８との接触から離脱することにより歯車軸３７がスライド穴７３と平キーにより連結され、モーター７１が始動されてモーター軸７２を回転させ、モーター軸７２がスライド穴７３との平キーによる連結で主歯車７４を回転させ、主歯車７４がスライド穴７３と歯車軸３７との平キーによる連結で歯車軸３７を回転させ、歯車軸３７が歯車３６を回転させ、歯車３６が噛合により移動ラック３４と副移動ラック３８を歯車３６に近接する側に移動させ、そしてプッシュ板３１と副プッシュ板４４が半円柱形型１３に近接する側に移動し、プッシュ板３１が伸縮スライドレール４０を前に移動させ、伸縮スライドレール４０が一番下の楕円形断面のチューブ４３を前に押し、伸縮スライドレール４０が前に伸び、プッシュ板３１が伸縮スライドレール４０と楕円形断面のチューブ４３とを芯線３２の真っ正面に移動させた後、モーター７１が回転することを停止し、
その後、リニアモーター２３がラック２４を動力箱２１から離れた側に移動復帰させ、ラック２４が噛合により副歯車４５を回転させ、副歯車４５が副歯車軸４６と一方向クラッチ５９とによりプーリ軸６０を回転させ、プーリ軸６０が速度上げ箱２５により速度上げ軸５０を回転させ、速度上げ軸５０が副Ｖプーリ６２と、副Ｖベルト５１によりＶプーリ６３とＶプーリ軸６４とを回転させ、滑車４９を回転させ、滑車４９が電線２２を半円柱形型１３へ移動させ、また芯線３２を伸縮スライドレール４０にある楕円形断面のチューブ４３の中に差し込み、その後、リニアモーター２３が移動することを停止し、モーター７１が再び始動されてモーター軸７２により歯車３６を回転させ、移動ラック３４が再び歯車３６に近接する側に移動することにより、プッシュ板３１、副プッシュ板４４が伸縮スライドレール４０の上側の楕円形断面のチューブ４３と当接して楕円形断面のチューブ４３を押して変形させ、そして二本の芯線３２と楕円形断面のチューブ４３とを十分に当接させ、その後、モーター７１を逆転させ、プッシュ板３１、副プッシュ板４４が半円柱形型１３から離れた側に移動復帰し、
その後、副電磁石７７が停電し、ばね７６の作用により、主歯車７４が左方に移動復帰し、主歯車７４が伝動歯車６８と噛み合い、歯車軸３７がスライド穴７３との接触から離脱し、モーター７１が始動されてモーター軸７２とスライド穴７３との平キーによる連結で主歯車７４を回転させ、主歯車７４は噛合により伝動歯車６８を回転させ、伝動歯車６８が回転軸６９によりエアポンプ７０を回転させ、エアポンプ７０が気流を生み出し、気流は空気通しパイプ６７、空気通しホース２０を介してピストン空間１９の中に送られ、またピストン１８を押して芯線３２に近接する側に移動させ、上側と下側の半円柱形型１３を一つ完全な円柱形型にし、また楕円形断面のチューブ４３と、芯線３２と、電線２２の一部を半円柱形型１３の中に位置させ、その後、流体ポンプ２７が開けられ、モーター７１が回転することを停止し、液貯蔵箱２８の中のゴム補修剤を液供給ホース２６を介して半円柱形型１３の中に送り、ゴム補修剤で半円柱形型１３を満たした後、流体ポンプ２７が回転することを停止し、半円柱形型１３の中のゴム補修剤が凝固した後、電線２２の絶縁被覆を完全に補修し、電線接続の作業を完成し、その後、電磁弁１６を開け、圧縮ばね１７の作用により、ピストン１８が電線３２から離れた側に移動復帰し、そして電磁弁１６を閉じ、手動で接続された電線２２を引き出す。
【００２２】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【要約】
【課題】本発明は家庭用電線の自動接続装置を開示した。
【解決手段】
接続箱を含み、前記接続箱の中には左方及び右方に開口した接続空間が設置され、前記接続空間の中には二つの左右対称となる送り込み装置が設置され、前記送り込み装置は電線の絶縁被覆を剥ぎ取れ、前記送り込み装置は前記接続空間の下側内壁にスライド可能に連結されたリニアモーターを含み、本願発明の絶縁チューブ供給装置は電線接続に所要の楕円形断面のチューブを自動的に供給でき、剥ぎ取り機構は左右対称に設置され、剥ぎ取り機構は電線の絶縁被覆を剥ぎ取った後に復帰運動を行い、剥ぎ取り機構の復帰運動は電線を移動させられる。
【選択図】図１【図１】
0006823773.tif 000002
【図２】
0006823773.tif 000003
【図３】
0006823773.tif 000004
【図４】
0006823773.tif 000005
【図５】
0006823773.tif 000006
【図６】
0006823773.tif 000007
【図７】
0006823773.tif 000008